(57)【要約】      （修正有）【課題】つばの穴の外周部分の段差を少なくする帽子の穴付つばの製造方法を提供する。【解決手段】つばの形状にカットし、つばの芯穴４１に相当する位置に予め穴を設けた２枚の生地（つば下用生地２とつば上用生地３）を用意し、上面を裏地２b、下面を表地２aにしたつば下用生地２を上にして、上面を表地、下面を裏地にした上用生地３を下にして、２つの穴を重ね、つばの穴の外周に夫々、複数の切り目２e、３ｅを入れ、縫い合わせた生地につば芯４を取り付ける段階でつば下用生地２とつば上用生地３をつば芯４の芯穴４１をあわせて重ね、芯穴４１に通して裏返して、つば下用生地２をつば芯４の外側方向に伸ばして、つば芯４の表裏に生地を貼り付けるようにしたことを特徴とする帽子の穴付つばの製造方法。【選択図】図２
2016132838.tif 000002
【特許請求の範囲】
【請求項１】
つばの形状にカットし、つばの芯穴(４１)に相当する位置に予め穴（２ｃと３ｃ）を設けた２枚の生地（つば下用生地(２)とつば上用生地(３)）を用意し、上面を裏地(２b)、下面を表地(２a)にしたつば下用生地(２)を上にして、上面を表地(３ａ)、下面を裏地(３ｂ)にした上用生地（３）を下にして、２つの穴（２ｃと３ｃ）を重ね、つばの穴（２ｃと３ｃ）の外周に夫々、複数の切り目(２eと３ｅ)を入れ、切れ目の外周を縫い合わせた生地に、つば芯をつばの穴（２ｃと３ｃ）が芯穴(４１)にあうように重ね、
つば下用生地(２)の両端(２d)を、芯穴(４１)に通して裏返して、つば下用生地(２)をつば芯(４)の外方向に伸ばして、つば芯(４)の表裏に生地を貼り付けるようにしたことを特徴とする帽子の穴付つばの製造方法。
【発明の詳細な説明】
【技術分野】
【０００１】
本発明は、生地を穴付きつば芯に、張り合わせした帽子の穴付きつばの製造方法に関する。
【背景技術】
【０００２】
通常帽子の穴付き芯に生地を張る場合、生地と芯を縫い合わせた後に、つばに穴をくり抜き、穴の外周をパイピングするか、ハトメを施していた。
【発明の概要】
【発明が解決しようとする課題】
【０００３】
１）つばを生地と芯を縫い合わせた後に、つばに穴を切り取り生地と芯の切れ端をパイピングするとつばの外周部分が厚くなった。
２）ハトメを施すと、ハトメは金属性のため、つば自体の重量が重くなったり金属アレルギーの人は、つばに触れなくなってしまう課題があった。
【課題を解決するための手段】
【０００４】
つばの形状にカットし、つばの芯穴(４１)に相当する位置に予め穴（２ｃと３ｃ）を設けた２枚の生地（つば下用生地(２)とつば上用生地(３)）を用意し、上面を裏地(２b)、下面を表地(２a)にしたつば下用生地(２)を上にして、上面を表地(３ａ)、下面を裏地(３ｂ)にした上用生地（３）を下にして、２つの穴（２ｃと３ｃ）を重ね、つばの穴（２ｃと３ｃ）の外周に夫々、複数の切り目(２eと３ｅ)を入れ、縫い合わせた生地につば芯(４)を取り付ける段階でつば下用生地(２)とつば上用生地(３)をつば芯(４)の芯穴(４１)をあわせて重ね、芯穴(４１)に通して裏返して、つば下用生地(２)をつば芯(４)の外側方向に伸ばして、つば芯(４)の表裏に生地を貼り付けるようにしたことを特徴とする帽子の穴付つばの製造方法。
【発明の効果】
【０００５】
本発明によれば、帽子のつばの穴に生地を張るときパイピングしないので、つばの穴の外周部分の段差を少なくすることができ、見た目がよくなる。
【図面の簡単な説明】
【０００６】
【図１】本発明の帽子の穴付きつばの製造方法(生地の張り合わせ段階)  （ａ）つば形にカットし、切り目をいれた同じ大きさの穴の生地を上下に配置した状態  （ｂ）二つの生地を重ねて穴の周囲で縫った状態
【図２】本発明の帽子の穴付きつばの製造方法(芯の取り付け段階)  （ａ）上の生地の両端部を持ち上げて、芯の穴に通そうとしている状態  （ｂ）さらに、芯の穴に生地の端を通している状態  （ｃ）芯の穴に、ほぼ通し終わっている状態  （ｄ）芯の穴に、生地を裏返して通し終わって、つば芯の裏に合うように引っぱっている状態
【図３】本発明の帽子の穴付きつばの製造方法(つば先をパイピングで固定した完成状態)
【発明を実施するための形態】
【０００７】
本発明は、帽子の穴付きつばの上下に生地を張りつけるための製造方法である。
【０００８】
図１から３で本発明の製造方法を説明する。
【０００９】
図１は、本発明の穴付きつばの製造方法で、生地の縫い合わせ段階を示す。
【００１０】
図１(a) のように、つばの形状にカットし、芯穴(４１)に相当する位置に予め穴（２ｃと３ｃ）を設けた２枚の生地（つば下用生地(２)とつば上用生地(３)）を用意し、上面を裏地(２b)、下面を表地(２a)にしたつば下用生地(２)を上にして、上面を表地(３ａ)、下面を裏地(３ｂ)にした上用生地（３）を下にして、２つの穴（２ｃと３ｃ）を重ねる。つばの穴（２ｃと３ｃ）の外周に夫々、芯穴(４１)の大きさま近くまで、複数の切り目(２eと３ｅ)を入れる。
【００１１】
次に、図１(b)のように、つば下用生地(２)とつば上用生地(３)を、つばの穴（２ｃと３ｃ）に合うように重ね合わせ、切り目(２eと３ｅ)の穴の周りを縫い部(５)のように円周上に縫う。
【００１２】
穴（２ｃと３ｃ）は、同じ大きさで、芯穴(４１)の大きさよりやや小さめ（径が１ｍｍから５ｍｍ小さい）、切り目(２eと３ｅ)は、穴（２ｃと３ｃ）から放射状に、芯穴(４１)の大きさの近くまで入れ、切り目(２eと３ｅ)の周囲を縫った縫い部(５)の円の大きさは、つば芯(４)の芯穴(４１)の大きさとほぼ同じである。切り目(２eと３ｅ)は、１ｍｍから５ｍｍであるが、つば芯(４)の厚さによる。
【００１３】
切り目(２eと３ｅ)を入れると、後述するように、つば芯(４)に厚さがあるので、つば下用生地(２)を芯穴(４１)に通してひっくり返したときに、生地に無理がいかなくり、穴が綺麗に整形しやすくなる。また、切り目(２eと３ｅ)は、図１(a)では、施さず図１(b)から、縫い部(５)を施した後に、穴（２ｃと３ｃ）から放射状に切り目(２eと３ｅ)を入れてもよい。
【００１４】
図２は、本発明の、帽子のつばの製造方法で、図１で縫い合わせた生地につば芯を取り付ける段階を表す。
【００１５】
図２(a) は、図１(ｂ)の下用生地(２)と上用生地(３)をつば芯(４)の芯穴(４１)上に縫い部（５）をあわせて重ねる。つば下生地(２)の両端部(２d)を、斜め上方向(P１方向)に引っ張りながら、芯穴(４１)に通す。
【００１６】
次に、図２(b)のように、つば下用生地(２)の両端(２d)を、つば芯(４)の芯穴(４１)を通して下方向(P２方向)に両端部(２d)を引っぱり出す。
【００１７】
次に図２(c)は、外方向(P３方向)に引っ張り、つば芯(４)につば下用生地(２)はつば芯(４)の下側に裏地(２b)がくっ付ける。この際、切り目(２eと３ｅ)は、つば芯(４)の下側に来る。
【００１８】
次に図２(d)は、つば芯(４)にくっつくように引っ張り合わせたので、つば下用生地(２)がつば芯(４)の下側に入り、つば上用生地(３)が、生地を張った穴付きつば(１)の上側になり表地(３a)が表面になり、つば下用生地(２)がつば芯(４)の下側で、表地(２a)が裏面になる。
この際につばの穴（２ｃと３ｃ）の周辺のつば下用生地(２)とつば上用生地(３)にシワが多い場合は、一度、つば芯(４)から取り外し、つば下用生地(２) とつば上用生地(３)の穴（２ｃと３ｃ）周辺にアイロンを施しシワを伸ばして図２(d)のように戻す。
【００１９】
図３は、図２の状態から生地をつば芯(４)の外側方向に伸ばして、つば先でパイピングする。生地にしわができないようにつばの淵方向に引っぱりながらつば先の部分につば外側パイピング(６)を施し、内辺をつば芯(４)が生地と生地の間でずれないように縫い付け、つば内側縫い部(７)施し、パイピングを施した穴付きつば(８)を形成する。
【符号の説明】
【００２０】
１  生地を張った穴付きつば
２  つば下用生地
２a  表地
２b  裏地
２c  穴
２d  両端部
２e  切り目
３  つば上用生地
３a  表地
３b  裏地
３c  穴
３e  切り目
４  つば芯
４１  芯穴
５  縫い部
６  つば外側パイピング
７  つば内側縫い部
８  パイピングを施した穴付きつば
P１  生地両端を穴に入れこもうとする方向
P２  生地両端を穴に通過している方向
P３  生地両端が穴を通過し横方向にひっぱる方向 
【産業上の利用可能性】
【００２１】
帽子の穴付つばの表裏に生地を張るための製造方法を提供する。
【図１】
2016132838.tif 000003
【図２】
2016132838.tif 000004
【図３】
2016132838.tif 000005